(57)【要約】【課題】データ通信する空気調和機において、受信した制御信号の記憶を完了したことをユーザに報知することのできる空気調和機を得る。【解決手段】制御信号を受信する受信部４と、表示部（運転表示部５、ハイパワー表示部６）と、受信部４が受信した制御信号を記憶する記憶部１１と、記憶部１１が制御信号を記憶した際には、制御信号の記憶が完了したことを表示部（運転表示部５、ハイパワー表示部６）に表示させる制御部（制御部１０、表示制御部１２）とを備えた。【選択図】図３
2011075245.tif 000002
【特許請求の範囲】
【請求項１】
制御信号を受信する受信部と、
表示部と、
前記受信部が受信した制御信号を記憶する記憶部と、
前記記憶部が前記制御信号を記憶した際には、前記制御信号の記憶が完了したことを前記表示部に表示させる制御部と、を備えた
ことを特徴とする空気調和機。
【請求項２】
制御信号を受信する受信部と、
表示部と、
前記受信部が前記制御信号の受信を開始してから終了するまでの間、前記制御信号を受信中であることを前記表示部に表示させる制御部と、を備えた
ことを特徴とする空気調和機。
【請求項３】
制御信号を受信する受信部と、
表示部と、
前記受信部が受信した制御信号を記憶する記憶部と、
前記受信部が前記制御信号の受信を開始してから終了するまでの間、前記制御信号を受信中であることを前記表示部に表示させ、前記記憶部が前記制御信号を記憶した際には、前記制御信号の記憶が完了したことを前記表示部に表示させる制御部と、を備えた
ことを特徴とする空気調和機。
【請求項４】
前記制御部は、前記記憶部が前記制御信号の記憶に失敗した際には、前記制御信号の記憶が失敗したことを前記表示部に表示させる
ことを特徴とする請求項１または請求項３記載の空気調和機。
【発明の詳細な説明】
【技術分野】
【０００１】
本発明は、データ通信を行う空気調和機に関する。
【背景技術】
【０００２】
従来、リモコンなどから発せられた信号を受信する受信機能を具備する空気調和機の室内機（以下、「室内機」と称す）がある。このような室内機として、リモコンからの制御信号を受信した場合に、室内機の運転表示灯を数回点灯させるものがある（例えば、特許文献１参照）。
【先行技術文献】
【特許文献】
【０００３】
【特許文献１】特開平９−１８４６５３号公報（第３、図１）
【発明の概要】
【発明が解決しようとする課題】
【０００４】
特許文献１に開示された室内機は、リモコンからの制御信号を受信すると運転表示灯（表示部）を数回点灯させるので、ユーザは、室内機が制御信号の少なくとも一部を受信したことを認識することはできる。
ここで、室内機で受信する制御信号の中には、室内機に内蔵する記憶部に記憶されて、電源ＯＦＦ後にも保持されるべきものがある。特許文献１に記載の室内機では、ユーザは、送信された制御信号の少なくとも一部を室内機が受信したことは認識できるが、制御信号が正常に記憶されたか否かを認識することができなかった。
また、特許文献１に記載の室内機は、受信する信号量が多い場合が考慮されていない。すなわち、受信する信号量が多い場合には、制御信号の受信を開始してからすべての制御信号の受信を終了するまでに時間を要するが、すべての制御信号を受信できたかどうかを室内機の表示部で確認することができなかった。
【０００５】
本発明は、上記のような問題を解決するためになされたもので、第１の目的は、データ通信する空気調和機において、受信した制御信号の記憶を完了したことをユーザに報知することのできる空気調和機を得るものである。
また、第２の目的は、制御信号を受信中であることをユーザに報知することのできる空気調和機を得るものである。
【課題を解決するための手段】
【０００６】
本発明に係る空気調和機は、制御信号を受信する受信部と、表示部と、前記受信部が受信した制御信号を記憶する記憶部と、前記記憶部が前記制御信号を記憶した際には、前記制御信号の記憶が完了したことを前記表示部に表示させる制御部と、を備えたものである。
【発明の効果】
【０００７】
本発明に係る空気調和機によれば、受信した制御信号を記憶部に記憶した際には、記憶が完了したことを示す表示を行うようにした。このため、ユーザは、送信した制御信号が記憶部に記憶されたか否かを容易に確認することができる。
【図面の簡単な説明】
【０００８】
【図１】実施の形態１に係る空気調和機の室内機の正面図である。
【図２】実施の形態１に係る空気調和機の機能ブロック図である。
【図３】実施の形態１に係る空気調和機の動作を説明するタイミング図である。
【発明を実施するための形態】
【０００９】
実施の形態１．
本実施の形態１では、室外機と室内機が配管接続されて構成された空気調和機の室内機に、本発明を適用した場合を例に説明する。
【００１０】
（空気調和機の室内機の構成）
図１は、本発明の実施の形態１に係る空気調和機の室内機１００の正面図である。なお、以下に示す各図において同じ部分または相当する部分には同じ符号を付している。また、各図は模式的に描いたものであって、本発明は図示された形態に限定するものではなく、この発明の範囲内で種々変更して実施することができる。
【００１１】
図１において、空気調和機の室内機１００は、前面パネル１によって前面を覆われ、吹出口２を備えている。吹出口２は、室内機１００が内蔵する熱交換手段（図示せず）によって熱交換された空気を吹き出すための開口部である。吹出口２には、上下風向板３が取り付けられている。上下風向板３は、水平方向の回動軸を中心にして回動自在であって、吹出口２を開閉するとともに、吹出口２から吹き出される空気の吹き出し方向を上下方向で変更するものである。
また、室内機１００は、受信部４と、運転表示部５と、ハイパワー表示部６とを備える。
【００１２】
受信部４は、リモコン２００（図１には図示せず、図２参照）から送信される制御信号を受信し、受信処理を行う。なお、リモコン２００から送信される制御信号は、赤外線信号などのワイヤレス信号である。
【００１３】
運転表示部５とハイパワー表示部６は、本発明の表示部に相当し、例えばＬＥＤ（発光ダイオード）などの表示灯で構成される。運転表示部５は、室内機１００が運転中に点灯し、ハイパワー表示部６は、室内機１００がハイパワー運転（高出力での運転）を行っている際に点灯する。
【００１４】
図２は、実施の形態１に係る空気調和機の室内機１００及びリモコン２００を示す機能ブロック図である。
【００１５】
制御部１０は、受信部４が受信したリモコン２００からのワイヤレス信号を取得し、室内機１００全体の運転制御を行う。制御部１０は、その機能を実現する回路デバイスなどのハードウェアで構成することもできるし、マイコンやＣＰＵなどの演算装置とその動作を規定する制御プログラムで構成することもできる。
【００１６】
記憶部１１は、例えばＥＥＰＲＯＭなどの書き換え可能な記憶手段であって、電源ＯＦＦ後もデータの保持が可能な記憶装置で構成される。
【００１７】
表示制御部１２は、制御部１０に制御されて、運転表示部５とハイパワー表示部６の点灯状態の制御を行う。
音出力制御部１３は、制御部１０に制御されて、ブザー７の出力制御を行う。
なお、本発明の制御部は、本実施の形態１においては制御部１０と表示制御部１２に相当する。
【００１８】
リモコン２００は、操作ボタンと信号送信部（ともに図示せず）とを備えており、操作ボタンへの入力に応じた制御信号を信号送信部から送信する。
【００１９】
（室内機の動作）
上記のように構成された室内機は、例えば、いわゆるウィークリタイマの設定信号や、機種設定の信号を受信可能である。ウィークリタイマとは、例えば１週間分の空気調和機の動作を、曜日や時間毎に指定することのできるタイマである。また、機種設定とは、号機や能力、機能の有無などを設定することをいう。
このようなウィークリタイマの設定や機種設定では、受信すべき信号量が多く、室内機１００は制御信号の受信に時間を要する。以下、受信すべき信号量が多い場合の室内機１００の動作を説明する。
【００２０】
図３は、実施の形態１に係る室内機１００の動作を説明する図である。図３では、ユーザがリモコン２００を使って送信したウィークリタイマの設定データを、室内機１００が受信する場合を例に説明する。
なお、図３では、室内機１００の運転状態と、ブザー７、運転表示部５、ハイパワー表示部６の動作を示している。
【００２１】
初期状態では、ブザー７は音声出力を行っておらず、運転表示部５とハイパワー表示部６は運転状態に応じて点灯あるいは消灯しているものとする。
このような初期状態において、リモコン２０によりウィークリタイマの設定データが送信されたものとする。なお、本実施の形態１では、ウィークリタイマの設定データは、「開始」を示す信号、「終了」を示す信号、及び設定内容を示す複数の信号、を含む設定信号で構成されているものとするが、設定信号の構成はこれに限定されるものではない。
【００２２】
（Ｓ１０１：ウィークリタイマ設定信号受信中）
室内機１００がウィークリタイマの設定信号の受信を開始すると、ブザー７は例えば「ピッ」などと音出力を行い（Ｓ１１１）、その後は音出力を停止する（Ｓ１１２）。
運転表示部５とハイパワー表示部６は、所定の点灯間隔で点滅する（Ｓ１２１、Ｓ１３１）。このとき、運転表示部５とハイパワー表示部６が交互に点灯するように制御される。運転表示部５とハイパワー表示部６は、ウィークリタイマの設定信号を受信している間、点滅を続ける。
【００２３】
（Ｓ１０２：記憶部書き込み中）
ウィークリタイマの設定信号の受信を完了し、受信した信号を記憶部１１へ書き込んでいるときには、運転表示部５とハイパワー表示部６は点滅を続ける（Ｓ１２２、Ｓ１３２）。
【００２４】
（Ｓ１０３：処理終了）
記憶部１１への書き込み処理が正常に完了すると、ブザー７、運転表示部５、ハイパワー表示部６は、処理が正常に完了したことを示す出力を行う。例えば、ブザー７は「ピー」などと音出力を行い（Ｓ１１３）、運転表示部５とハイパワー表示部６は一斉に点灯する（Ｓ１２２、Ｓ１３２）。  
【００２５】
（Ｓ１０４：通常状態）
ウィークリタイマの設定信号の受信と記憶部１１への設定信号の書き込みが終了して通常状態に戻ると、ブザー７は音声出力を停止し（Ｓ１１２）、運転表示部５とハイパワー表示部６は室内機１００の運転状態に応じた点灯動作を行う。
【００２６】
なお、記憶部１１への受信した設定信号の書き込みに失敗した場合には、ブザー７、運転表示部５、ハイパワー表示部６は、書き込みに失敗したことを示す出力を行う。例えば、ブザー７は「ピーピー」などとエラー状態を示す音出力を行い、運転表示部５とハイパワー表示部６は一斉に点滅する。
また、設定信号の受信中においてすべての設定信号を受信していないにもかかわらず受信が途絶えた場合にも、受信に失敗したことを示す出力を行う。なお、設定信号の受信が途絶えたか否かは、「開始」を示す信号を受信してから「終了」を示す信号を受信するまでの間に、次の設定信号を受信できない時間が所定時間以上となったか否かにより判断することができる。
このようにすることで、記憶部１１への書き込みの失敗や受信が途絶えた場合に、エラー状態であることをユーザに知らせることができる。
【００２７】
このように、本実施の形態１に係る空気調和機の室内機１００によれば、ウィークリタイマの設定信号などの信号量の多い制御信号の受信中には、受信中であることを示す表示を行うようにした。このため、ユーザは、送信した制御信号を室内機１００が正常に受信しているかどうか確認することができる。したがって、例えば室内機１００が制御信号の受信を開始して受信中であることを示す表示を行っている最中に受信が途絶えた場合には、ユーザは室内機１００が受信に失敗したことを容易に認識でき、制御信号を再送信するなどの対処を行いやすい。
【００２８】
また、受信した制御信号の記憶部１１への書き込みが正常に完了した場合には、処理が正常に完了したか否かを示す表示を行うようにした。このため、ユーザは、送信した制御信号が記憶部１１に書き込まれたか否かを確認できる。したがって、例えば、書き込み処理が正常に完了したことを示す表示が行われれば、ユーザは、室内機１００の電源をＯＦＦしても次回起動時には設定した内容で室内機１００が動作するものだという安心感を得ることができる。また、書き込み処理が失敗したことを示す表示が行われれば、ユーザに制御信号の再送信を促すことができる。さらに、書き込み処理が失敗したことを報知するので、例えば記憶部１１に故障が生じている場合などには故障箇所の特定にも役立つ。
【００２９】
なお、本実施の形態１では、本発明の表示部を運転表示部５とハイパワー表示部６という２つの表示灯で構成する場合を例に説明したが、表示部の構成はこれに限定されるものではない。例えば、３つ以上の表示灯で本発明の表示部を構成することもでき、この場合には、制御信号を受信中であることを示す表示は、３つの表示灯が順次に点灯するようなタイミングで各表示灯を点滅させることにより行うことができる。
また、本実施の形態１で説明した運転表示部５やハイパワー表示部６の点灯動作や、ブザー７の音出力動作は一例であってこれに限定されるものではない。制御信号の受信状態や記憶部への記憶状態をユーザに報知することのできるような任意の動作パターンで、運転表示部５やハイパワー表示部６、ブザー７を動作させることができ、同様の効果を得ることができる。
【符号の説明】
【００３０】
１  前面パネル、２  吹出口、３  上下風向板、４  受信部、５  運転表示部、６  ハイパワー表示部、７  ブザー、１０  制御部、１１  記憶部、１２  表示制御部、１３  音出力制御部、１００  室内機、２００  リモコン。
【図１】
2011075245.tif 000003
【図２】
2011075245.tif 000004
【図３】
2011075245.tif 000005